(57)【特許請求の範囲】
【請求項１】
ペ−パ−ロ−ルを回動自在に支持する心棒を片持ち状態にして、この心棒の自由端側から、上記ペ−パ−ロ−ルの着脱がなされるトイレットぺ−パ−ホルダにおいて、
片持ち状態となった上記心棒の支持端側に、下向き力に基づいて、一定値以上のモ−メント力が作用した場合に、この心棒又はこの心棒を支持する支持部材を屈曲させることにより、この心棒の自由端側を下向きに回動させて、この心棒に対する上記モ−メント力の作用を回避させるとともに、上向き力の作用によって、上記心棒を元の状態に復帰させる安全機構を有していることを特徴とするトイレットぺ−パ−ホルダ。
【請求項２】
ペ−パ−ロ−ルを回動自在に支持する心棒を片持ち状態にして、この心棒の自由端側から、上記ペ−パ−ロ−ルの着脱がなされるトイレットぺ−パ−ホルダにおいて、
上記ペーパーロールの両側に支持部が形成されたホルダ本体と、
端部が一方側の上記支持部の孔部に差し込まれて、上記ホルダ本体に着脱可能に取り付けられるとともに、上記心棒の一端側を回動自在に支持して、この心棒の他端側を水平方向に回動させる心棒受けと、
端部が他方側の上記支持部の孔部に差し込まれて、上記ホルダ本体に着脱可能に取り付けられるとともに、上記ペ−パ−ロ−ルの使用に当り、上記心棒の他端側を位置決めする心棒ガイドと、
片持ち状態となった上記心棒の支持端側に、下向き力に基づいて、一定値以上のモ−メント力が作用した場合に、この心棒を屈曲させることにより、この心棒の自由端側を下向きに回動させて、この心棒に対する上記モ−メント力の作用を回避させるとともに、上向き力の作用によって、上記心棒を元の状態に復帰させる安全機構とを有していることを特徴とするトイレットぺ−パ−ホルダ。
【請求項３】
前記ペ−パ−ロ−ルの着脱位置側にある前記心棒を、このペ−パ−ロ−ルの使用位置側に復帰させるように加圧する弾性手段を有していることを特徴とする請求項１又は２記載のトイレットぺ−パ−ホルダ。
【発明の詳細な説明】
【０００１】
【発明の属する技術分野】
この発明はトイレ等に設置されるトイレットペーパーホルダに関するものであり、詳しくは、ペ−パ−ロ−ルを回動自在に支持する心棒を片持ち状態にして、この心棒の自由端側から、上記ペ−パ−ロ−ルの着脱がなされるトイレットぺ−パ−ホルダに関するものである。
【０００２】
【従来の技術】
トイレ等に設置されるトイレットペーパーホルダでは、心棒にペーパーロールを回動自在に支持させ、このペーパーロールの回動によって繰り出されるペーパーをカッター部でカットすることにより、ペーパーの使用がなされる。このような、トイレットペーパーホルダでは、ペーパーロールの装着が、ホルダ本体から心棒を取り外して、この心棒をペーパーロールの芯管や心孔に差し込んだ後、この心棒をペーパーロールごとホルダ本体に取り付けることによってなされるものも多い。
【０００３】
ところが、このようなトイレットペーパーホルダでは、心棒がホルダ本体から取り外されるため、心棒を紛失してしまったり、ペーパーロールの装着中に心棒を落下させてしまうという問題がある。また、このようなトイレットペーパーホルダでは、ペーパーロールを保持する心棒の両端をホルダ本体に取り付けねばならず、ホルダ本体に対する心棒の取り付けが容易でないという問題もある。
【０００４】
このため、心棒をホルダ本体から取り外さず、例えば、心棒の一端側を、他端側を中心に回動させて、片持ち状態となった心棒の自由端側からペーパーロールの着脱ができるようにしたトイレットペーパーホルダも種々提案されている（特開平１ー２０７０２２号公報、実開平６ー２６６８６号公報）。
【０００５】
【発明が解決しようとする課題】
しかしながら、心棒の自由端側からペーパーロールの着脱ができるようにしたトイレットペーパーホルダでは、ペーパーロールの着脱時等に、心棒に下向き力が作用し易く、この心棒の支持端側に大きなモーメント力が作用し易いという問題があった。このため、このようなトイレットペーパーホルダでは、心棒の支持端側に破損や変形が生じ易いという問題があった。
【０００６】
この発明は、以上の点に鑑み、ペーパーロールの着脱が片持ち状態にした心棒の自由端側からなされる場合でも、心棒の支持端側に大きなモーメント力を作用させてしまうことのないトイレットペーパーホルダを提供することを目的とする。
【０００７】
【課題を解決するための手段】
この発明の請求項１記載の発明は、ペ−パ−ロ−ルを回動自在に支持する心棒を片持ち状態にして、この心棒の自由端側から、ペ−パ−ロ−ルの着脱がなされるトイレットぺ−パ−ホルダにおいて、片持ち状態となった心棒の支持端側に、下向き力に基づいて、一定値以上のモ−メント力が作用した場合に、この心棒又はこの心棒を支持する支持部材を屈曲させることにより、この心棒の自由端側を下向きに回動させて、この心棒に対するモ−メント力の作用を回避させるとともに、上向き力の作用によって、心棒を元の状態に復帰させる安全機構を有していることである。
【０００８】
この発明では、ペ−パ−ロ−ルの着脱時等に、片持ち状態に置かれた心棒に、何らかの形で下向き力が作用し、この心棒の支持端側に一定値以上のモ−メント力が作用した場合、この心棒等を屈曲させて、その自由端側を下向きに回動させることにより、この心棒に上記モ−メント力が作用するのを回避している。この場合、心棒に所定の上向き力を作用させることにより、この心棒はペ−パ−ロ−ルを支持できる元の状態に復帰する。
【０００９】
この発明の請求項２記載の発明は、ペ−パ−ロ−ルを回動自在に支持する心棒を片持ち状態にして、この心棒の自由端側から、ペ−パ−ロ−ルの着脱がなされるトイレットぺ−パ−ホルダにおいて、ペーパーロールの両側に支持部が形成されたホルダ本体と、端部が一方側の支持部の孔部に差し込まれて、ホルダ本体に着脱可能に取り付けられるとともに、心棒の一端側を回動自在に支持して、この心棒の他端側を水平方向に回動させる心棒受けと、端部が他方側の支持部の孔部に差し込まれて、ホルダ本体に着脱可能に取り付けられるとともに、ペ−パ−ロ−ルの使用に当り、心棒の他端側を位置決めする心棒ガイドと、片持ち状態となった心棒の支持端側に、下向き力に基づいて、一定値以上のモ−メント力が作用した場合に、この心棒を屈曲させることにより、この心棒の自由端側を下向きに回動させて、この心棒に対するモ−メント力の作用を回避させるとともに、上向き力の作用によって、心棒を元の状態に復帰させる安全機構とを有していることである。
【００１０】
この発明は、トイレットペーパーホルダの具体的構成を示したものであり、安全機構が心棒側に設けられたものである。この発明では、ペーパーロールを支持する心棒の他端側が心棒ガイド側に位置決めされた状態で、ペーパーロールの使用ができ、かつ、心棒を心棒受け側を中心に回動させて、片持ち状態にすることにより、ペーパーロールの着脱ができる。この場合、心棒を回動自在に支持する心棒受けや心棒の端部を位置決めする心棒ガイドを、ホルダ本体から取り外すことができるので、心棒等の交換も容易に行なうことができる。
【００１１】
この発明の請求項３記載の発明は、請求項１又は２記載の発明の場合において、ペ−パ−ロ−ルの着脱位置側にある心棒を、このペ−パ−ロ−ルの使用位置側に復帰させるように加圧する弾性手段を有していることである。
【００１２】
この発明では、心棒をペ−パ−ロ−ルの着脱位置側に回動等させた場合、この心棒には、弾性手段によって、これをペ−パ−ロ−ルの使用位置側に復帰させようとする力が作用する。このため、心棒が外方に突出した状態でペ−パ−ロ−ルの着脱位置側に放置されてしまうことはなく、トイレ等の使用者が、この心棒を引っ掛けてしまうことはない。
【００１６】
【発明の実施の形態】
以下、この発明の実施の形態を図面を参照しつつ説明する。
図１はこの発明の一実施の形態に係るトイレットペーパーホルダの外観斜視図である。
【００１７】
図１において、トイレットペーパーホルダＨは、２個の芯なしペーパーロールＲ（図６参照）を装着できる２連式のものであり、ホルダ本体１と、棚板２と、仮止めブロック３（図２参照）と、カッター４と、心棒受け５と、心棒ガイド６と、心棒７と、弾性手段としての捩りコイルバネ８（図２参照）と、安全機構９とから構成されている。
【００１８】
ホルダ本体１は、樹脂材によって一体的に形成されたものであり、図２で示されるように、直交するように配置される上板部１１と奥板部１２の中間部に、Ｌ形の仕切部１３が設けられているとともに、左右両側にＬ形の側部１４が設けられており、仕切部１３を中心として左右対称に形成されている。上板部１１は、側部１４や仕切部１３の前端までを覆う矩形状のものであり、側部１４や仕切部１３に沿った位置に、棚板２の固定孔１１ａが多数形成されている。奥板部１２は、下端が短辺となった台形状をしており、これには、このホルダ本体１をトイレ等の側壁に取り付けるための取付孔１２ａ，１２ｂが形成されている。
【００１９】
仕切部１３は、上部が開放された中空状のものであり、図２で示されるように、水平部１３Ａの前端に、支持部となる下方に垂れた垂下部１３Ｂが形成されている。水平部１３Ａの左右の両側壁には、後部にカッター４の支持孔１３ａが形成され、前部に仮止めブロック３用の突き出し孔１３ｂが形成されている。垂下部１３Ｂの下端面Ｓ１には、心棒受け５用の支持孔１３ｃが左右に形成され、この支持孔１３ｃ内を通って、下方に突出するように、案内部１３ｄが形成されている。この案内部１３ｄは、円柱部の左右両側に板部を突出させた形状のものである。また、垂下部１３Ｂの下端面Ｓ１には、断面が略Ｈ形をした心棒受け５の位置決め部１３ｅが下方に突出するように形成されている。この位置決め部１３ｅは、一対の支持孔１３ｃを左右に分けるように形成されているとともに、下端面Ｓ１の前部側と後部側の一部を囲むように形成されている。
【００２０】
側部１４は、左右幅が仕切部１３の略１／２の大きさの、上部が開放された中空状のものであり、図２で示されるように、水平部１４Ａの前端に、支持部となる下方に垂れた垂下部１４Ｂが形成されたものである。水平部１４Ａの仕切部１３側の側壁には、仕切部１３の支持孔１３ａと突き出し孔１３ｂに対向するように、カッター４の支持孔１４ａと仮止めブロック３用の突き出し孔１４ｂが形成されている。垂下部１４Ｂは、断面が略長円状に形成され、下端面Ｓ２に、支持孔１３ｃと同一サイズの、心棒ガイド６用の支持孔１４ｃが形成されている。そして、この支持孔１４ｃ内には、案内部１３ｄと同一形状の案内部１４ｄが下方に突出するように形成されている。
【００２１】
棚板２は、樹脂材等によって一体的に形成されたものであり、ホルダ本体１の上板部１１上を覆って、このトイレットペーパーホルダＨの上部側の外観をよくするとともに、上面にトイレ内の小物（例えば、消臭器や生理用品収納箱）を置くためのものである。この棚板２は、図１及び図２で示されるように、ホルダ本体１の上板部１１よりやや大きく形成され、下面側のリブ２１等には位置決め用の段部Ｄが形成されているとともに、所定のリブ２１には、ホルダ本体１の固定孔１１ａに差し込まれる引掛け部２２が下方に突出するように形成されている。
【００２２】
仮止めブロック３は、カッター４を仮保持して、ペーパーロールＲの着脱の容易化等を図るためのものであり、一対ずつ計４個のものが、ホルダ本体１の側部１４と仕切部１３内に取り付けられる。この仮止めブロック３は、図２で示されるように、樹脂製の小ピース等を複数組み合わせたものであり、先端が半球状の係止ピン３０が、ホルダ本体１の突き出し孔１３ｂ，１４ｂを通って、ホルダ本体１内に突出するように位置決めされる。この係止ピン３０は、内部に組み込まれたバネ部材の作用によって、左右方向に出没自在となっている。
【００２３】
カッター４は、ペーパーロールＲから繰り出されたペーパーをカットするためのものであり、図２で示されるように、後部側に左右に突出するように形成された支持部４０，４１を、ホルダ本体１の支持孔１３ａ，１４ａに差し込むことにより、このホルダ本体１に回動自在に取り付けられる。このカッター４は、前部側にカット部４２が形成されているとともに、側端の下面側に、仮止めブロック３の係止ピン３０用凹溝４３が形成されている。なお、仕切部１３内には、支持孔１３ａ側の支持部４１が上下に移動しないように、上下動防止具（図示せず）が取り付けられる。
【００２４】
心棒受け５は、ホルダ本体１の垂下部１３Ｂの下端側に取り付けられて、心棒７の一端側を水平回動自在に支持するものである。この心棒受け５は、樹脂材によって一体的に形成されたものであり、図２で示されるように、底板部５０上に、一対の円筒状の支持部５１が上方に突出するように形成され、かつ、この支持部５１上に、板状をした一対の固定部５２が対向するように形成されている。底板部５０には、図３で示されるように、ホルダ本体１の位置決め部１３ｅの下端が突き当てられるとともに、この位置決め部１３ｅの下端凹部Ｔに嵌め込まれる、凸部５０ａ（図３参照）が形成されている。
【００２５】
支持部５１は、ホルダ本体１の支持孔１３ｃ内に差し込まれるが、案内部１３ｄが内方を通過できるように、固定部５２がそれぞれ分配された２つの半円筒部に分けられている。固定部５２の上端側には、くさび状の突起５２ａが形成されており、案内部１４ｄにガイドさせつつ支持部５１を支持孔１３ｃ内に差し込んだ場合、図３で示されるように、この突起５２ａが、仕切部１３中の係止部１３ｆに係合して、この心棒受け５をホルダ本体１側に位置決め固定している。
【００２６】
心棒ガイド６は、ホルダ本体１の垂下部１４Ｂの下端側に取り付けられて、心棒７の他端側を位置決めするものである。この心棒ガイド６は、樹脂材によって一体的に形成されたものであり、図２で示されるように、垂下部１４Ｂと同一断面形状に形成された本体部６０中に、仕切部１３の支持部５１や固定部５２と同一断面形状の、支持部６１と固定部６２とが形成されたものである。本体部６０の内側壁面には、心棒７の位置決め部６０ａが形成されている。この位置決め部６０ａは、前面側から後方に向かって形成された案内凹部Ｅ１と、この案内凹部Ｅ１の後端に、これより深く形成された位置決め凹部Ｅ２とにより構成されている。なお、ホルダ本体１の垂下部１４内にも、固定部６２の突起部６２ａと係合する係止部（図示せず）が形成されているものとする。
【００２７】
心棒７は、ペーパーロールＲを回動自在に支持するものであり、摩擦抵抗の小さい樹脂材によって形成されている。この心棒７は、図２で示されるように、一端側の上下向き筒部７０の下部側から、細長い支持竿７１が水平に延びたものである。なお、この支持竿７１には、筒部７０周りに大きなモーメント力が作用するのを防止する安全機構９が設けられている。
【００２８】
筒部７０は、図３で示されるように、内孔７０ａに心棒受け５の支持部５１が差し込まれた状態で、上端と下端とが仕切部１３の下端面Ｓ１と心棒受け５の底板部５０の上面との間に位置決めされ、この心棒受け５の支持部５１周りに水平回動自在に支持される。この内孔７０ａの下部側は、捩りコイルバネ８を収容するために、やや大径に形成されたバネ収容部Ｖとなっており、このバネ収容部Ｖの上端段部に、捩りコイルバネ８の上端８０が差し込まれる小孔が形成されている。なお、図３で示されるように、心棒受け５の底板部５０側にも、捩りコイルバネ８の下端８１を差し込む小孔が形成されている。
【００２９】
支持竿７１は筒部７０と一体的に形成される円柱状のものであるが、安全機構９との関係で、筒部７０側と一体となった基部７１Ａと、これにつづく回動部７１Ｂとに分けられている。この回動部７１Ｂの端部には、ホルダ本体１の位置決め部６０ａに係合する細長い突起部７１ａが形成されている。
【００３０】
捩りコイルバネ８は、図１で示されるように、ペーパーロールＲの着脱等のために、筒部７０を中心に支持竿７１側を前方に水平回動させた場合（以下心棒７のこの位置をペーパ着脱位置イという）に、この支持竿７１側を突起部７１ａが心棒ガイド６の位置決め部６０ａに係合する位置（以下心棒７のこの位置をペーパ使用位置ロという）に復帰させるように、この心棒７に弾性力を与えるものである。この捩りコイルバネ８は、図３で示されるように、心棒受け５の支持部５１周りに取り付けられるが、両端８０，８１が心棒受け５と心棒７とに係合し、心棒７がペーパ使用位置ロにある場合でも、支持竿７１の突起部７１ａを心棒ガイド６側に加圧する働きを有している。
【００３１】
安全機構９は、心棒７が片持ち状態（例えば、ペーパ着脱位置イにある状態）にある場合に、この心棒７の支持竿７１に下向き荷重が作用して、心棒７の支持端側（筒部７０側）に一定値以上のモーメント力が作用した場合に、支持竿７１を屈曲して、自由端側の回動部７１Ｂを下向きに回動させ、筒部７０側に大きなモーメント力が作用するのを回避させるためのものである。この安全機構９は、図４及び図５で示されるように、一端が支持竿７１の回動部７１Ｂ側に固定され、他端が基部７１Ａの長孔７１ｂ内に差し込まれた連結手段としての連結棒９０と、長孔７１ｂを貫通するように基部７１Ａに差し込まれ、連結棒９０の端部を上下方向に回動自在に支持する回動手段としての支持ピン９１と、基部７１Ａの下部側に、長孔７１ｂに臨むように設けられた溝９２によって形成される弾性手段としての弾性片９３とから構成されている。
【００３２】
支持ピン９１は、基部７１Ａ中の連結棒９０の一端側孔部（図示せず）に差し込まれた状態で、両端がかしめられていて、この基部７１Ａからの抜け落ちが防止されている。連結棒９０は、径サイズが基部７１Ａの長孔７１ｂの径サイズより僅かに小さく形成されていて、一端側がこの長孔７１ｂ内に位置決めされている場合には、支持竿７１の基部７１Ａと回動部７１Ｂとを一直線状になるように位置決めする。溝９２は、支持ピン９１側が長孔７１ｂの径と略同サイズに形成され、基部７１Ａの端面側が連結棒９０の径より漸次小幅に形成されている。そして、連結棒９０より小幅に形成された基部７１Ａの溝９２周りが弾性片９３となっている。
【００３３】
この弾性片９３は、支持竿７１の回動部７１Ｂ側に下向き荷重が作用し、筒部７０側に一定値以上のモーメント力が作用すると、溝９２を広げるように弾性変形して、連結棒９０を下方に回動させるとともに、回動部７１Ｂ側に一定の上向き荷重を作用させた場合にも、溝９２を広げるように弾性変形して、連結棒９０を基部７１Ａの長孔７１ｂ内に位置決めする働きを有している。なお、溝９２は、連結棒９０の上向き移動を容易にするため、対向する端面側が下方に広がるように、斜めに形成されている。
【００３４】
つぎに、このトイレットペーパーホルダＨの組み立て手順について説明する。まず、心棒ガイド６の支持部６１と固定部６２とを、ホルダ本体１の支持孔１４ｃ内に差し込み、突起６２ａをホルダ本体１の係止部に係合させて、一対の心棒ガイド６をホルダ本体１に取り付ける。つづいて、心棒７の筒部７０内に捩りコイルバネ８をセットした後、この筒部７０内に心棒受け５の支持部５１を差し込み、捩りコイルバネ８の下端８１を心棒受け５の凹部内に位置決めする。そして、この心棒受け５に２セットの心棒７と捩りコイルバネ８とをセットした状態で、この心棒受け５の一対の支持部５１をホルダ本体１の支持孔１３ｃ内に差し込み、突起５２ａをホルダ本体１の係止部１３ｆに係合させる。このことにより、心棒７は、支持竿７１の突起部７１ａ側が捩りコイルバネ８によって心棒ガイド６側に加圧された状態で心棒受け５の支持部５１に回動自在に支持される。
【００３５】
つぎに、カッター４の支持部４０，４１を、ホルダ本体１の支持孔１３ａ，１４ａ中に差し込んで、このカッター４の後部側をホルダ本体１に回動自在に支持させる。この場合、カッター４の支持部４１がホルダ本体１の支持孔１３ａから抜け出ないように、この支持部４１周りに上下動防止具を取り付ける。つづいて、仮止めブロック３を、係止ピン３０が外方に突出するようにホルダ本体１に取り付けるとともに、棚板２の引掛け部２２をホルダ本体１の固定孔１１ａに差し込んで、この棚板２をホルダ本体１の上板部１１上に取り付ければ、トイレットペーパーホルダＨの組み立て作業は終了する。そして、トイレ内の壁面等に、ホルダ本体１の取付孔１２ａ，１２ｂを介して、ビス等をねじ込めば、このトイレットペーパーホルダＨをトイレ内に設置することができる。なお、ホルダ本体１を壁面等に取り付けた後、このホルダ本体１に対して棚板２を着脱することも可能である。
【００３６】
つぎに、このトイレットペーパーホルダＨにペーパーロールＲを装着する手順について説明する。
まず、仮止めブロック３の係止ピン３０を突き出し孔１３ｂ，１４ｂ内に押し込みつつ、カッター４の前部側を上方に押し上げた後、再びこの係止ピン３０を凹溝４３の下方に突き出させて、図１で示されるように、このカッター４をホルダ本体１の上部側に仮り止めする。つづいて、心棒７の支持竿７１側を、筒部７０側を中心として、捩りコイルバネ８の弾性力に抗しつつ前方のペーパ着脱位置イまで回動させた後、片持ち状態となったこの支持竿７１の自由端側から、この心棒７に心孔Ｒ１を介して、ペーパーロールＲを装着する。そして、支持竿７１にペーパーロールＲを充分に支持させた状態で、支持竿７１から手を放すと、心棒７は、捩りコイルバネ８の弾性力によって、突起部７１ａが心棒ガイド６の位置決め部６０ａに突き当たるまで回動する。
【００３７】
この状態で、心棒７の突起部７１ａを位置決め部６０ａ側に押し込むと、突起部７１ａが僅かに湾曲しつつ、位置決め部６０ａの案内凹部Ｅ１を通って、位置決め凹部Ｅ２まで移動され、心棒７はペーパ使用位置ロに位置決めされる。つづいて、仮止めブロック３の係止ピン３０を出没させつつ、カッター４の前部側を下方に押し下げ、このカッター４のカット部４２をペーパーロールＲ上に支持させれば、ペーパーロールＲの使用が可能となる。すなわち、ペーパーロールＲの端部を下方に引いて、このペーパーロールＲを心棒７回りに回動させれば、このペーパーロールＲから所望の量のペーパーを繰り出させることができ、その後、このペーパーをカッター４でカットすることにより、繰り出されたペーパーの使用が可能となる。
【００３８】
一方、ペーパーロールＲの装着のために、心棒７をペーパー装着位置イまで回動させた場合に、心棒７の支持竿７１側に、何らかの形で下向き荷重が作用すると、片持ち状態になった心棒７の支持端（筒部７０）側には、大きなモーメント力が作用する。ところが、支持竿７１には、大きなモーメント力を回避するための安全機構９が設けられているため、支持竿７１に下向き荷重が作用しても、この安全機構９により、心棒７に一定値以上のモーメント力が作用することはない。
【００３９】
すなわち、心棒７の支持端（筒部７０）側に一定値以上のモーメント力が作用すると、安全機構９の弾性片９３が両側に開くように弾性変形し、連結棒９０が支持ピン９１を中心に下向きに回動するため、支持竿７１の回動部７１Ｂが下方に移動する。このため、この支持竿７１の回動部７１Ｂ側に下向き力が作用することはなくなり、この力に基づいて心棒７等に一定値以上のモーメント力が作用することもない。そして、下向きに移動した支持竿７１の回動部７１Ｂを上方に押して、弾性片９３側に一定値以上の上向き力を加えることにより、この弾性片９３を両側に開くように弾性変形させれば、連結棒９０が基部７１Ａの長孔７０ｂ内に移動して、回動部７１ＢはペーパーロールＲを支持できる水平な状態に復帰する。
【００４０】
なお、以上の説明は、トイレットペーパーホルダＨにペーパーロールＲを装着する場合について説明したが、古いペーパーロールＲを新しいペーパーロールＲに交換する場合も同様である。
【００４１】
以上のように、このトイレットペーパーホルダＨでは、心棒７を片持ち状態にしてペーパーロールＲの着脱を行なう場合等に、心棒７の支持端（筒部７０）側に一定値以上のモーメント力が作用しても、安全機構９が作用して、心棒７等へのこのモーメント力の作用を回避できるため、支持竿７１の筒部７０への取り付け部周り等に、破損や変形が生じることはない。
【００４２】
また、このトイレットペーパーホルダＨでは、心棒７をペーパ着脱位置イまで回動させても、この心棒７が捩りコイルバネ８の作用により、ペーパ使用位置ロ側に復帰しようとするため、心棒７の支持竿７１側が、トイレ内で使用者側に突出した状態のまま放置されることはない。このため、トイレ使用者の腕等がこの支持竿７１に当たって怪我をしてしまうことがないとともに、この支持竿７１に無用な力を加えて、心棒７を破損してしまうこともない。
【００４３】
さらに、このトイレットペーパーホルダＨでは、ホルダ本体１に対して、心棒受け５や心棒ガイド６を別体とし、これらをホルダ本体１に対して着脱可能としているため、心棒７に不都合が生じたり、心棒７が心棒ガイド６により充分に位置決めできなくなっても、簡単に心棒ガイド６や心棒７を取り替えることができる。なお、心棒受け５や心棒ガイド６の着脱は、ホルダ本体１を取り付け面から取り外すことなく行なうことができる。すなわち、棚板２を上方に押しあげるようにして取り外した後、ホルダ本体１の仕切部１３内や側部１４内に工具を入れ、この工具により心棒受け５の固定部５２を中心に寄せるようにして下向きに押すことにより、係止部１４ｆに対する突起５２ａの係合を解除し、その後、心棒受け５や心棒ガイド６を下方に引き抜けばよい。
【００４４】
また、このトイレットペーパーホルダＨでは、同時に２つのペーパーロールＲを装着できる２連式のものであるので、ペーパーロールＲを切らすことなく、ペ−パ−を使用することができる。もちろん、このトイレットペーパーホルダＨは、ホルダ本体１に仕切部１３を設けず、側部１４の一方に心棒受け５を取り付けるようにした、１連式のものであってもよい。
【００４５】
なお、このトイレットペーパーホルダＨは、芯なしのペーパーロールＲを装着するものであるが、心棒７の支持竿７１側の径を大きくして、支持竿７１を芯ありのペーパーロールに使用するようにしても、同様な効果を得ることができる。
【００４６】
また、このトイレットペーパーホルダＨでは、心棒７をペ−パ−使用位置ロ側に加圧する弾性手段として捩りコイルバネ８を用いたが、この弾性手段は板バネであってもよい。
【００４７】
さらに、このトイレットペーパーホルダＨでは、心棒７は水平な状態に保持されているが、斜めの状態に保持されるものであってもよい。また、心棒７は、一端側を中心に他端側が回動するものでなくてもよく、例えば、心棒７の支持部材が回動して、この心棒７をペ−ペ−着脱位置イとペ−パ−使用位置ロに位置決めするものであってもよい。
【００４８】
さらに、このトイレットペーパーホルダＨでは、安全機構９を心棒７側に設けて、心棒７の破損等の防止を図っているが、この安全機構９を心棒７の支持部材側に設けるようにしてもよい。図７は、このようなトイレットペーパーホルダＨ１の一例を示しており、心棒７を水平回動自在に支持するホルダ本体側の支持部１６を基部１５側と切り放して別体とし、この支持部１６を、回動手段としてのヒンジ９４と、連結手段としての突起９５と、弾性手段としての弾性リンク９６とからなる安全機構９により連結するようにしている。ペーパ着脱位置イ側に回動した心棒７に下向き力が作用し、この心棒７の支持端側に所定値以上のモーメント力が作用すると、弾性リンク９６が広がるように弾性変形して、一端側が支持部１６側に取り付けられた突起９５がこの弾性リンク９６から外れ、図８で示されるように、心棒７と支持部１６とは、下向きに回動して、この心棒７にモーメント力が作用するのを回避する。
【００４９】
また、心棒ガイド６の位置決め部６０ａには、図９で示されるように、種々の形状のものを使用できる。図９の（ａ）は、心棒７の突起部７１ａを通過させる大径孔Ｆ１の横に、突起部７１ａを位置決めする小径孔Ｆ２を設け、この大径孔Ｆ１と小径孔Ｆ２間に、弾性変形して心棒７の端部に係脱する絞り部Ｆ３を設けたものである。図９の（ｂ）は、内方に弾性変形可能な切り込み部Ｇ１と、この切り込み部Ｇ１の対向部に突状のストッパーＧ２とを設け、内方に弾性変形した切り込み部Ｇ１とストッパーＧ２との間で心棒７の一端側を位置決めするようにしたものである。さらに、図９の（ｃ）は、拡縮可能な弾性リングＨ１を設けて、これに心棒７の一端側を係脱させようとするものである。
【００５０】
ところで、このトイレットペーパーホルダＨでは、心棒受け５、心棒ガイド６及び心棒７を取り外すことができるため、部品の交換によって、このトイレットペーパーホルダＨを、芯ありのペーパーロールをワンタッチで着脱できるワンタッチ式トイレットペーパーホルダＨ２に簡単に変えることができる。以下、このことについて、図１０及び図１１を参照しつつ説明する。
【００５１】
図１１において、符合１００は、先端が逆向きに湾曲した２枚の板バネ１０１が、心棒受け５の一対の支持部５１に左右に突出するように取り付けられた第１心棒受けである。また、符合１１０は、底板部１１１上に心棒ガイド６の支持部６１が形成され、この支持部６１に２枚の板バネ１０１が仕切部１３側に突出するように取り付けられた第２心棒受けである。さらに、符合１２０は、第１及び第２心棒受け１００，１１０に、板バネ１０１を覆った状態で水平回動自在に取り付けられる第２心棒である。
【００５２】
この第２心棒１２０は、図１１で示されるように、内孔１２１ａ中を、第１及び第２心棒受け１００，１１０の支持部５１，６１が貫通する部分円筒部１２１と、この部分円筒部１２１の側方に形成された、断面が長円弧状の中空の突起部１２２とから形成されている。突起部１２２の下面側は板バネ１０１挿入用に開放されており、板バネ１０１の先端側がこの突起部１２２内に係合して、板バネ１０１と突起部１２２とにがたつきが生じないようになっている。
【００５３】
したがって、第２心棒１２０の突起部１２２内に板バネ１０１を収納するようにして、この第２心棒１２０の内孔１２１ａに第１及び第２心棒受け１００，１１０の支持部５１，６１を通した後、この第１及び第２心棒受け１００，１１０の、支持部５１，６１や固定部５２，６２を、ホルダ本体１の支持孔１３ｃ，１４ｃ内に差し込むことにより、第１及び第２心棒受け１００，１１０及び第２心棒１２０は、突起５２ａ等がホルダ本体１側の係止部１３ｆ等に係合して、ホルダ本体１側に取り付けられる。
【００５４】
この場合、図１０で示されるように、左側及び右側の一対ずつの第２心棒１２０は、互いに対向するように配置されるとともに、第１及び第２心棒受け１００，１１０に回動自在に支持されるため、この第２心棒１２０の突起部１２２側は、板バネ１０１の弾性力に抗しつつ、前後に揺動可能な状態となる。このため、芯管Ｑ１を有したペーパーロールＱを前方から第２心棒１２０に突き当てるように押し込むと、突起部１２２が後方に回動して逃げ、芯管Ｑ１の両端が突起部１２２の位置にきた状態で、この突起部１２２が板バネ１０１の作用により元の位置に復帰し、この第２心棒１２０によって、ペーパーロールＱが回動自在に支持される。また、芯管Ｑ１（又はペーパーロールＱ）を第２心棒１２０から外すには、芯管Ｑ１（又はペーパーロールＱ）を前方に引けばよい。
【００５５】
以上のように、このトイレットペーパーホルダＨでは、部品を交換するだけで、これを、芯ありのペーパーロールＱを使用できるワンタッチ式のトイレットペーパーホルダＨ２に変えることがき、このトイレットペーパーホルダＨの利用範囲を広げることができる。この場合、主要部品であるホルダ本体１等を替えることがないため、コストの上昇は僅かであり、かつ、部品交換後の、製品の印象も元の場合とほとんど変わらない。また、部品の交換も、ホルダ本体１を取り付け壁から取り外すことなく、使用者によって簡単に行なうことができる。
【００５６】
【発明の効果】
この発明は、以下に記載されるような効果を奏する。
【００５７】
この発明の請求項１記載の発明によれば、ペ−パ−ロ−ルを回動自在に支持する心棒を片持ち状態にして、この心棒の自由端側から、ペ−パ−ロ−ルの着脱がなされるトイレットぺ−パ−ホルダにおいて、片持ち状態となった心棒の支持端側に、下向き力に基づいて、一定値以上のモ−メント力が作用した場合に、この心棒又はこの心棒を支持する支持部材を屈曲させることにより、この心棒の自由端側を下向きに回動させて、この心棒に対するモ−メント力の作用を回避させるとともに、上向き力の作用によって、心棒を元の状態に復帰させる安全機構を有しているので、ペーパーロールの着脱が片持ち状態にした心棒の自由端側からなされる場合でも、心棒の支持端側に大きなモーメント力を作用させてしまうことはない。
【００５８】
この発明の請求項２記載の発明によれば、ペ−パ−ロ−ルを回動自在に支持する心棒を片持ち状態にして、この心棒の自由端側から、ペ−パ−ロ−ルの着脱がなされるトイレットぺ−パ−ホルダにおいて、ペーパーロールの両側に支持部が形成されたホルダ本体と、端部が一方側の支持部の孔部に差し込まれて、ホルダ本体に着脱可能に取り付けられるとともに、心棒の一端側を回動自在に支持して、この心棒の他端側を水平方向に回動させる心棒受けと、端部が他方側の支持部の孔部に差し込まれて、ホルダ本体に着脱可能に取り付けられるとともに、ペ−パ−ロ−ルの使用に当り、心棒の他端側を位置決めする心棒ガイドと、片持ち状態となった心棒の支持端側に、下向き力に基づいて、一定値以上のモ−メント力が作用した場合に、この心棒を屈曲させることにより、この心棒の自由端側を下向きに回動させて、この心棒に対するモ−メント力の作用を回避させるとともに、上向き力の作用によって、心棒を元の状態に復帰させる安全機構とを有しているので、請求項１記載の発明と同様な効果を得ることができるとともに、心棒等の交換も容易になすことができる。
【００５９】
この発明の請求項３記載の発明によれば、請求項１又は２記載の発明の場合において、ペ−パ−ロ−ルの着脱位置側にある心棒を、このペ−パ−ロ−ルの使用位置側に復帰させるように加圧する弾性手段を有しているので、トイレ等の使用者が、この心棒を引っ掛けてしまうことはなく、トイレ等の使用者に怪我を負わせてしまうことはないとともに、心棒の寿命も延ばすことができる。
【図面の簡単な説明】
【図１】この発明の一実施の形態に係るトイレットペーパーホルダの外観斜視図である。
【図２】図１で示されるトイレットペーパーホルダの分解斜視図である。
【図３】図１で示されるトイレットペーパーホルダの仕切部側の断面図である。
【図４】図１で示されるトイレットペーパーホルダの心棒の支持竿側を下方から見た図である。
【図５】図１で示されるトイレットペーパーホルダの安全機構の作用説明図である。
【図６】図１で示されるトイレットペーパーホルダのカッタ−側の断面図である。
【図７】この発明の変更実施形態に係るトイレットペーパーホルダの部分的な外観斜視図である。
【図８】図７で示されるトイレットペーパーホルダの作用説明図である。
【図９】図１で示されるトイレットペーパーホルダの心棒ガイドに設けられた他の位置決め部を示す図である。
【図１０】図１で示されるトイレットペーパーホルダから、部品の交換によって形成されるワンタッチ式のトイレットペーパーホルダの外観斜視図である。
【図１１】図１０で示されるトイレットペーパーホルダの分解斜視図である。
【符号の説明】
１    ホルダ本体
５    心棒受け
６    心棒ガイド
７    心棒
８    捩りコイルバネ（弾性手段）
９    安全機構
１３Ｂ  垂下部（支持部）
１３ｃ  孔部
１４Ｂ  垂下部（支持部）
１４ｃ  孔部
１６    支持部（支持部材）
１００    第１心棒受け
１０１    板バネ
１１０    第２心棒受け
１２０    第２心棒
Ｈ，Ｈ１，Ｈ２  トイレットペーパーホルダ
Ｒ    ペーパーロール
イ    ペ−パ−着脱位置（着脱位置）
ロ    ペ−パ−使用位置（使用位置）
【図１】
0003580055.tif 000002
【図２】
0003580055.tif 000003
【図３】
0003580055.tif 000004
【図４】
0003580055.tif 000005
【図５】
0003580055.tif 000006
【図６】
0003580055.tif 000007
【図７】
0003580055.tif 000008
【図８】
0003580055.tif 000009
【図９】
0003580055.tif 000010
【図１０】
0003580055.tif 000011
【図１１】
0003580055.tif 000012